(57)【要約】【課題】  液晶表示装置用バックライト組立体、を提供する。【解決手段】バックライト組立体は両方向に光を出射する導光板及び量方向に出射された光の輝度比を調節する輝度調節部材を含む。従って、液晶表示装置は両方向に映像を表示することができ、輝度調節部材を用いて輝度を互いに同一にまたは相異するようにすることができる。
2005523562.tif 000002
【特許請求の範囲】
【請求項１】
第１表示領域と第２表示領域との間に配置され、前記第１表示領域と第２表示領域との間に供給された第１光を第２光に変更させるための光入射側面と、前記第２光の一部である第３光を前記第１表示領域に出射するための第１光出射面と、前記第２光の残りである第４光が前記第２表示領域に出射されるようにするための第２光出射面とを有する導光板と、
前記第４光の一部を前記第１表示領域に向かう方向に反射し、前記第４光の残りは前記第２表示領域に透過させて、前記第１表示領域での第１輝度及び前記第２表示での第２輝度が指定された輝度比を有するように調節する輝度調節手段と、
を含むことを特徴とする両方向光出射バックライト組立体。
【請求項２】
前記第２光出射面には、前記第２光を前記第１領域に反射させるドット形状を有する少なくとも一つの光反射パッドが形成され、前記光反射パッドの大きさは前記光入射側面から遠くなるほど大きくなることを特徴とする請求項１記載の両方向光出射バックライト組立体。
【請求項３】
前記第１光出射面と前記第２光出射面は互に平行であることを特徴とする請求項１記載の両方向光出射バックライト組立体。
【請求項４】
前記導光板は前記光入射側面から遠くなるほど連続的に厚さが減少するウェッジ（楔）形状であることを特徴とする請求項１記載の両方向光出射バックライト組立体。
【請求項５】
前記輝度調節部材は光を反射し透過するためのシートであることを特徴とする請求項１記載の両方向光出射バックライト組立体。
【請求項６】
前記第１輝度は前記第２輝度より大きいことを特徴とする請求項１記載の両方向光出射バックライト組立体。
【請求項７】
前記第１光は発光ダイオードまたは線光源うちいずれかの一つから出射されることを特徴とする請求項１記載の両方向光出射バックライト組立体。
【請求項８】
前記第１光出射面と隣接する所には、前記第３光の光学特性を向上させるための光学シート類がさらに設置されることを特徴とする請求項１記載の両方向光出射バックライト組立体。
【請求項９】
第１表示領域と第２表示領域との間に配置され、前記第１表示領域と第２表示領域との間に互いに異なる経路を有する第１光及び第５光を供給するランプ組立体と、
前記第１光を第２光に変更させるための第１光入射側面と、前記第２光の一部である第３光を前記第１表示領域に反射させる第１面と、前記第１面と対向し前記第３光を出射するための第２面とを有する第１導光板と、
前記第５光を第６光に変更させるための第２光入射側面と、前記第６光の一部である第７光を前記第２表示領域に反射させる第３面と、前記第３面と対向し前記第７光を出射させるための第４面とを有する第２導光板と、
前記第１面と前記第３面との間に介在され、前記第２光の残りで前記第１面から漏洩された第４光を前記第１表示領域に反射させ、前記第５光の残りで前記第３面から漏洩された第８光を前記第２表示領域に再反射させる反射板と、
を含むことを特徴とする両方向光出射バックライト組立体。
【請求項１０】
前記第１導光板の第１面及び前記第２面は相互に平行であり、前記第２導光板の前記第３面及び前記第４面は相互に平行であることを特徴とする請求項９記載の両方向光出射バックライト組立体。
【請求項１１】
前記第１面にはドット形状を有する第１光反射パッドが形成され、前記第３面にはドット形状を有する第２光反射パッドが形成され、前記第１、第２光反射パッドの大きさは前記第１、第２光入射側面から距離が増加するほど大きくなることを特徴とする請求項１０記載の両方向光出射バックライト組立体。
【請求項１２】
前記第２面と向い合う所に配置されて前記第３光の光学特性を向上させるための第１光学シートと、前記第４面と向い合う所には配置されて前記第７光の光学特性を向上させるための第２光学シートをさらに含むことを特徴とする請求項１０記載の両方向光出射バックライト組立体。
【請求項１３】
前記第１光学シートはプレート形状を有する第１光学シート本体、及び前記第１光学シート本体のうち前記第２面と向い合う面から三角形形状の断面を有するよう突出された第１輝度向上突出部を含み、
前記第２光学シートはプレート形状を有する第２光学シート本体、及び前記第２光学シート本体のうち前記第４面と向い合う面から三角形形状の断面を有するように突出された第２輝度向上突出部を含むことを特徴とする請求項１０記載の両方向光出射バックライト組立体。
【請求項１４】
前記第１導光板の面積は前記第２導光板の面積より大きいことを特徴とする請求項１０記載の両方向光出射バックライト組立体。
【請求項１５】
前記第１面にはドット形状を有する第１光反射パッドが形成され、前記第３面にはドット形状を有する第２光反射パッドが形成され、前記第１光反射パッド及び第２光反射パッドの大きさは前記第１光入射側面から遠くなるほど大きくなり、前記第２光反射パッドの距離に対する大きさの変化率は前記第１光反射パッドの距離に対する大きさ変化率より大きいことを特徴とする請求項１４記載の両方向光出射バックライト組立体。
【請求項１６】
前記第１導光板は前記第１光入射側面に近づくほど厚くなり、前記第２導光板は前記第２光入射側面に近づくほど薄くなり、前記第２面及び第４面は相互平行であることを特徴とする請求項９記載の両方向光出射バックライト組立体。
【請求項１７】
前記第１面にドット形状を有する第１光反射パッドが形成され、前記第３面にドット形状を有する第２光反射パッドが形成され、前記第１、第２光反射パッドの大きさは前記第１、第２光入射側面から遠くなるほど大きくなることを特徴とする請求項１６記載の両方向光出射バックライト組立体。
【請求項１８】
前記第１導光板の面積は、前記第２導光板の面積より大きいことを特徴とする請求項１６記載の両方向光出射バックライト組立体。
【請求項１９】
前記第１面にはドット形状を有する第１光反射パッドが形成され、前記第３面にはドット形状を有する第２光反射パッドが形成され、前記第１光反射パッド及び第２光反射パッドの大きさは前記第１光入射側面から遠くなるほど増大し、前記第２光反射パッドの距離に対する大きさの変化率は前記第１光反射パッドの距離に対する大きさの変化率より大きいことを特徴とする請求項１８記載の両方向光出射バックライト組立体。
【請求項２０】
前記第２面と向い合う所に配置された第１光学シート及び、前記第４面と向い合う所に配置された第２光学シートをさらに含むことを特徴とする請求項１６記載の両方向光出射バックライト組立体。
【請求項２１】
前記第１光学シートはプレート形状を有する第１光学シート本体、及び前記第１光学シート本体のうち前記第２面と向い合う面から三角形形状の断面を有するように突出された第１輝度向上突出部を含み、
前記第２光学シートはプレート形状を有する第２光学シート本体、及び前記第２光学シート本体のうち前記第４面と向い合う面から三角形形状の断面を有するように突出された第２輝度向上突出部を含むことを特徴とする請求項２０記載の両方向光出射バックライト組立体。
【請求項２２】
前記ランプ組立体は、放射状に光を発生させるランプと、前記ランプから発生された光を前記第１光及び第５光に変更させるために前記ランプが内側に位置した状態で前記第２面及び前記第４面に固定されるランプリフレクタと、を含むことを特徴とする請求項９記載の両方向光出射バックライト組立体。
【請求項２３】
第１表示領域と第２表示領域との間に配置され、前記第１表示領域と第２表示領域との間に第１光を供給するランプ組立体と、
前記第１光を第２光に変更させるための光入射側面と、前記第２光の一部である第３光を前記第１表示領域に出射するための第１光出射面と、前記第２光の残りである第４光を前記第２表示領域に出射されるようにするための第２光出射面とを有する導光板と、
前記第４光の一部を前記第１領域に向かう方向に反射し、前記第４光の残りは前記第２表示領域に透過させて前記第１表示領域での第１輝度及び前記第２表示領域での第２輝度が指定された輝度比を有するように調節する輝度調節手段と、
前記第３光及び第４光の一部を情報が含まれた第１表示光に変更させるための第１液晶表示パネル組立体と、
前記第４光の残りを情報が含まれた第１表示光に変更させるための第１液晶表示パネル組立体と、
を含んで両方向に情報を表示することを特徴とする液晶表示装置。
【請求項２４】
前記第１液晶表示パネル組立体の第１表示面積及び前記第２液晶表示パネル組立体の第２表示面積は、同一であることを特徴とする請求項２３記載の液晶表示装置。
【請求項２５】
前記第１液晶表示パネル組立体の第１表示面積は、前記第２液晶表示パネル組立体の第２表示面積より大きいことを特徴とする請求項２３記載の液晶表示装置。
【請求項２６】
前記第２液晶表示パネル組立体の第１端部は、前記導光板の第２光出射面のうち前記光入射側面に整列されるように配置されることを特徴とする請求項２５記載の液晶表示装置。
【請求項２７】
前記第２液晶表示パネル組立体は、前記導光板の第２光出射面の中央部分に配置されることを特徴とする請求項２５記載の液晶表示装置。
【請求項２８】
前記第２液晶表示パネル組立体の第２端部は、前記導光板の第２光出射面のうち前記光入射側面と対向する側面に整列されるように配置されることを特徴とする請求項２５記載の液晶表示装置。
【請求項２９】
前記第１液晶表示パネル組立体及び第２液晶表示パネル組立体のうち少なくとも一つは、薄膜トランジスタを有するアクティブマトリックス液晶表示パネルをさらに含むことを特徴とする請求項２３記載の液晶表示装置。
【請求項３０】
前記第１液晶表示パネル組立体及び第２液晶表示パネル組立体のうち少なくとも一つは、パッシブマトリックス液晶表示パネルをさらに含むことを特徴とする請求項２３記載の液晶表示装置。
【請求項３１】
前記第１液晶表示パネル組立体及び第２液晶表示パネル組立体は、駆動シグナルによって情報を表示する駆動モジュールをさらに含むことを特徴とする請求項２３記載の液晶表示装置。
【請求項３２】
前記第１液晶表示パネル組立体は、第１駆動シグナルによって第１情報を表示する第１駆動モジュールをさらに含み、第２液晶表示パネル組立体は、第２駆動シグナルによって第２情報を表示する第２駆動モジュールをさらに含むことを特徴とする請求項２３記載の液晶表示装置。
【請求項３３】
前記輝度調節手段は、光を反射及び透過するためのシート含むことを特徴とする請求項２３記載の液晶表示装置。
【請求項３４】
第１表示領域と第２表示領域との間に配置され、前記第１表示領域と第２表示領域との間に互いに異なる経路を有する第１光及び第５光を供給するランプ組立体と、
前記第１光を第２光に変更させるための第１光入射側面と、前記第２光の一部である第３光を前記第１表示領域に反射させ、残りの第４光を前記第２表示領域に向かって透過させるための第１面と、前記第１面と対向し前記第３光を出射するための第２面とを有する第１導光板と、
前記第５光を第６光に変更させるための第２光入射側面と、前記第６光の一部である第７光を前記第２表示領域に反射させ、残りの第８光は前記第１表示領域に向かって透過させための第３面と、前記第３面と対向し前記第７光を出射するための第４面とを有する第２導光板と、
前記第１面と前記第３面との間に介在され、前記第２光の残りで前記第１面から漏洩された第４光を前記第１表示領域に反射させ、前記第５光の残りで前記第３面から漏洩された第８光を前記第２表示領域に反射させる反射板と、
前記第３光及び前記第４光に情報が含まれた第１表示光を発生させる第１液晶表示パネル組立体と、
前記第７光及び前記第８光に情報が含まれた第２表示光を発生させる第２液晶表示パネル組立体と、
を含むことを特徴とする液晶表示装置。
【請求項３５】
前記第１液晶表示パネル組立体の第１表示面積及び前記第２液晶表示パネル組立体の第２表示面積は同一であることを特徴とする請求項３４記載の液晶表示装置。
【請求項３６】
前記第１液晶表示パネル組立体の第１表示面積は前記第２液晶表示パネル組立体の第２表示面積より大きいことを特徴とする請求項３４記載の液晶表示装置。
【請求項３７】
前記第２液晶表示パネル組立体の第１端部は前記導光板の前記光入射側面に整列されることを特徴とする請求項３４記載の液晶表示装置。
【請求項３８】
前記第１液晶表示パネル組立体及び第２液晶表示パネル組立体のうち少なくとも一つは、薄膜トランジスタを有するアクティブマトリックス液晶表示パネルを含むことを特徴とする請求項３４記載の液晶表示装置。
【請求項３９】
前記第１液晶表示パネル組立体及び第２液晶表示パネル組立体のうち少なくとも一つは、パッシブマトリックス液晶表示パネルをさらに含むことを特徴とする請求項３４記載の液晶表示装置。
【請求項４０】
前記第１液晶表示パネル組立体及び第２液晶表示パネル組立体は、駆動シグナルを発生させる駆動モジュールをさらに含むことを特徴とする請求項３４記載の液晶表示装置。
【請求項４１】
前記第１液晶表示パネル組立体は第１駆動シグナルによって第１情報を表示する第１駆動モジュールをさらに含み、第２液晶表示パネル組立体は第２駆動シグナルによって第２情報を表示する第２駆動モジュールをさらに含むことを特徴とする請求項３４記載の液晶表示装置。
【請求項４２】
前記ランプ組立体は放射状に光を発生させるランプと、前記ランプから発生された光を前記第１光及び前記第５光に変更させるために前記ランプが内側に位置した状態で前記第２面及び前記第４面に固定されるランプリフレクタと、を含むことを特徴とする請求項３４記載の液晶表示装置。
【発明の詳細な説明】
【技術分野】
【０００１】
本発明はバックライト組立体、及びこれを用いる液晶表示装置に関し、特に互いに異なる２つの方向で情報を表示することができるようにした、多方向光出射バックライト組立体及びこれを用いる液晶表示装置に関する。
【背景技術】
【０００２】
一般に、従来の液晶表示装置は電界の強さによって光透過度が変更される液晶を用いて表示する装置として定義することができる。このような液晶表示装置は、僅か数μｍに過ぎない液晶層を含み、数〜数十ｍｍの厚さを有する平板型の表示装置として具現することができるという長所を有する。
このような長所を有する液晶表示装置は、携帯電話のような通信装置及び携帯用コンピュータまたは卓上用コンピュータの表示装置として幅広く使用されつつある。
一般的に、このような従来の液晶表示装置は、一方の方向のみに画像を表示し、液晶表示装置の厚さ及び体積を減少させることだけに関心があった。
最近、液晶表示装置が一方の方向のみに画像を表示することから脱皮して、両側方向に同一の画像または互いに異なる画像を表示するための努力及び技術開発が進められている。
【０００３】
両側方向に画像を表示する従来の液晶表示装置は、表示して欲しいと思う両側方向に光を分離する反射板、この反射板によって分離された２つの光の進行経路上に液晶表示のための偏光フィルター、画素電極、液晶対向電極、ガラス基板、カラーフィルタ、偏光板が、それぞれ対称的に設置された液晶表示パネルを構成要素として有する。
また、両側方向に画像を表示する従来の他の液晶表示装置は、表面及び表面と対向する裏面でそれぞれ光を発生させる平面型発光部と、この平面型発光部の表面と裏面に形成された表示セルとを構成要素として有する。
また、両側方向に画像を表示する従来の更に他の液晶表示装置は、バックライト組立体と、このバックライト組立体の両側に設置された第１液晶表示パネル及び第２液晶表示パネルを構成要素として有する。
このように従来の液晶表示装置は、両側方向に画像を表示するために、画像が表示される方向に光を分離する。
【０００４】
しかし、このような従来の液晶表示装置は、光を分離するだけで、分離される各光の光量を意図的に調節する機能は全く有していないという問題点を有する。
【０００５】
光量を調節することが要求される表示装置の例として、外部表示装置及び内部表示装置を有する携帯電話を説明する。例えば、Ａモデルの携帯電話が内部表示装置より低い輝度を有する外部表示装置を有するとしたら、光源から出射される大部分の光は内部表示装置に提供される。また、Ｂモデルの携帯電話が内部表示装置より高い輝度を有する外部表示装置を有するとしたら、光源から出射される大部分の光は外部表示装置に提供される。
前述したように、従来の液晶表示装置は光を両方向の分離することができるが、両方向に分離された光量を状況によって多様に調節することができない。
【発明の開示】
【発明が解決しようとする課題】
【０００６】
従って、本発明はこのような技術開発要求に応じたもので、本発明の第１の目的は、人為的に互いに異なる輝度を有するように光を分離して２つの方向に供給する両方向光出射バックライト組立体を提供することにある。
また、本発明の第２の目的は、人為的に互いに異なる輝度を有するように光を分離して第１表示領域及び第２表示領域に供給して、互いに異なる２つの方向で同一であるか互いに異なる映像を表示する液晶表示装置を提供することにある。
【課題を解決するための手段】
【０００７】
このような本発明の第１の目的を達成するための両方向光出射バックライト組立体は、第１表示領域と第２表示領域との間に配置され、前記第１表示領域と第２表示領域との間に供給された第１光を第２光に変更させるための光入射側面と、前記第２光の一部である第３光を前記第１表示領域に出射するための第１光出射面及び前記第２光の残りである第４光が前記第２表示領域に出射されるようにするための第２光出射面を有する導光板と、第４光の一部を第１表示領域に向かう方向に反射させ、第４光の残りは第２表示領域に透過させて、第１表示領域での第１輝度及び第２表示領域での第２輝度が指定された輝度比を有するように調節する輝度調節部材と、を含む。
また、本発明の第１の目的を達成するための両方向光出射バックライト組立体は、第１表示領域と第２表示領域との間に配置され、前記第１表示領域と第２表示領域との間に互いに異なる経路を有する第１光及び第５光を供給するランプ組立体と、前記第１光を第２光に変更させるための第１光入射側面と、前記第２光の一部である第３光を前記第１表示領域に反射させる第１面、及び前記第１面と対向し前記第３光を出射するための第２面を有する第１導光板と、前記第５光を第６光に変更させるための第２光入射側面、前記第６光の一部である第７光を前記第２表示領域に反射させる第３面及び前記第３面と対向し前記第７光を出射させるための第４面を有する第２導光板と、前記第１面と前記第３面との間に介在され、前記第２光の残りで前記第１面から漏洩された第４光を前記第１表示領域に反射させると共に、前記第５光の残りで前記第３面から漏洩された第８光を前記第２表示領域に再反射させる反射板と、を含む。
【０００８】
また、本発明の第２の目的を達成するための液晶表示装置は、第１表示領域と第２表示領域との間に配置され、前記第１表示領域と第２表示領域の間に第１光を供給するランプ組立体と、前記第１光を第２光に変更させるための光入射側面と、前記第２光の一部である第３光を前記第１表示領域に出射するための第１光出射面、及び前記第２光の残りである第４光が前記第２表示領域に出射されるようにするための第２光出射面を有する導光板と、前記第４光の一部を前記第１領域に向かう方向に反射させ、前記第４光の残りは前記第２表示領域に透過させて前記第１表示領域での第１輝度及び前記第２表示領域での第２輝度が指定された輝度比を有するように調節する輝度調節部材と、前記第３光及び第４光の一部を情報が含まれた第１表示光に変更させるための第１液晶表示パネル組立体と、前記第４光の残りを情報が含まれた第２表示光に変更させるための第２液晶表示パネル組立体と、を含む。
【０００９】
また、本発明の第２の目的を達成するための液晶表示装置は、第１表示領域と第２表示領域との間に配置され、前記第１表示領域と第２表示領域との間に互いに異なる経路を有する第１光及び第５光を供給するランプ組立体と、前記第１光を第２光に変更させるための第１光入射側面、前記第２光の一部である第３光は前記第１表示領域に反射させ、残りの第４光は前記第２表示領域に向かって透過するための第１面及び前記第１面と対向し前記第３光を出射するための第２面を有する第１導光板と、前記第５光を第６光に変更させるための第２光入射側面、前記第６光の一部である第７光は前記第２表示領域に反射させ残りの第８光は前記第１表示領域に向かって透過するための第３面及び前記第３面と対向し前記第７光を出射するための第４面を有する第２導光板と、前記第１面と前記第３面との間に介在され、前記第２光の残りで前記第１面から漏洩された第４光を前記第１表示領域に反射し、前記第５光の残りで前記第３面から漏洩された第８光を前記第２表示領域に反射させる反射板と、前記第３光及び前記第４光に情報が含まれた第１表示光を発生させる第１液晶表示パネル組立体と、前記第７光及び前記第８光に情報が含まれた第２表示光を発生させる第２液晶表示パネル組立体と、を含む。
【００１０】
本発明は、光源から発生された光を導光板で一次的に第１表示領域及び第２表示領域に分離し、第２表示領域に供給された光の一部を反射及び透過させて、第１表示領域及び第２表示領域での輝度比を調節することができるようにして、互いに異なる両方向で所望する映像を表示することができるようにする。
【発明を実施するための最良の形態】
【００１１】
以下、図面を参照して本発明の望ましい一実施形態をより詳細に説明する。
図１は本発明の一実施形態によって図面符号１００で示された第１表示領域及び図面符号２００で示された第２表示領域に、所望する光量を供給することができる両方向光出射バックライト組立体５００を示している。
図１は本発明の第１実施形態による両方向光出射バックライト組立体の概念図である。
図１に示すように、バックライト組立体５００は、導光板３００及び輝度調節部材４００で構成される。
【００１２】
導光板３００は一実施形態として直六面体プレート形状を有し、第１表示領域１００と第２表示領域２００との間に位置する。
第１表示領域１００と第２発生領域２００との間に位置した導光板３００は、光入射側面３１０が含まれた４つの側面、第１光出射面３２０、第２光出射面３３０で構成される。
より具体的には、第１及び第２光出射面３２０、３３０は向い合い、それぞれ長方形形態を有する。従って、第１光出射面３２０は全部で４つの縁部を有する。このような第１光出射面３２０の４つの縁部には第１光出射面３２０に所定角度、例えば、垂直を成すように４つの側面が形成される。光入射側面３１０は４つの側面のうちいずれか一つである。一方、第２光出射面３３０は第１光出射面３２０と向い合うように４つの側面の縁部に連結される。
【００１３】
このような構成を有する導光板３００の光入射側面３１０には、第１光３０５が供給される。第１光３０５は導光板３００の外部から発生された外部光である。第１光３０５は一実施形態として点光源である発光ダイオードまたは線光源でる冷陰極線管方式ランプから発生される。以下、第１光３０５を発生させる光源に図面符号３０１を付与する。
このように発光ダイオードまたは冷陰極線管方式ランプから発生された第１光３０５は、空気と媒質が異なる光入射側面３１０を通過しながら第２光３１５に変更される。第２光３１５は、屈折の法則に応じて導光板３００内部で反射されながら進行し、結局導光板３００から２つの方向に出射される。
このとき、導光板３００の内部から外部に出射される方向のうちいずれか一つは、第１光出射面３２０から第１表示領域１００に向かう方向である。第２光３１５のうち第１光出射面３２０から第１表示領域１００に向かう方向に出射された光を第３光３２５と称する。
【００１４】
一方、導光板３００の内部から外部に出射される方向のうち、残りは第２光出射面３３０から第２表示領域２００に向かう方向である。第２光３１５のうち、第１光出射面３２０を通じて出射された第３光３２５を除いた残りの光を前述した第３光３２５と区分して第４光３３５と称する。
従って、導光板３００のみでも十分に第１表示領域１００及び第２表示領域２００に光を供給することが可能である。
しかし、導光板３００のみでは第１表示領域１００での第１輝度及び第２表示領域２００での第２輝度を変更することは、前述されたように非常に難しい。導光板３００のみで第１表示領域１００及び第２表示領域２００での輝度を変更するためには導光板３００の設計及び製作を再度実施しなければならない。
【００１５】
本発明において、第１表示領域１００及び第２表示領域２００での輝度を設定された通りに調節するために、輝度調節部材４００が利用される。輝度調節部材４００は、前述した第４光３３５の一部を第１表示領域１００に再び反射されるようにし、第４光３３５の残りは第２表示領域２００に透過されるようにする。
輝度調節部材４００は一実施形態として、ポリエチレン・テレフタレート樹脂（ＰＥＴ）物質を発泡処理した厚さの薄いシートまたはシートより厚いプレート形状に製作することができる。
【００１６】
輝度調節部材４００は発泡処理または厚さを調節して、例えば第４光３３５の８０％を反射し２０％を透過するように製作するか、他の実施形態として第４光３３５の２０％を反射し８０％を透過するように製作することができる。
本発明では、望ましい一実施形態としてポリエチレン・テレフタレート樹脂（ＰＥＴ）物質を発泡処理して使用したが、その他にも光の一部を反射し、残りは透過させる他の物質で製作してもよいのである。
図２は本発明の第１実施形態による両方向光出射バックライト組立体の導光板に形成された光反射パターンを示す概念図であり、図３は図２の光反射パターンの大きさ及び配列を示す概念図である。
図２及び図３に示すように、導光板３００は輝度調節部材４００と向い合う関係を有する第２光出射面３３０に形成された光り反射パッド３３１を含む。この光反射パッド３３１は、第２光出射面３３０に到達した第２光３１５の一部が第１光出射面３２０に向かって反射されるようにする役割をする。
【００１７】
このような役割をする光反射パッド３３１は、マトリックス状に第２光出射面３３０上に形成される。この光反射パッド３３１は、シルクスクリーン方式で第２光出射面３３０に形成することで具現可能となる。
光反射パッド３３１の１つ当たりの面積は光入射側面３１０から遠くなるほど大きくなる。
このように光反射パッド３３１の面積を変更することは、第２光出射面３３０の全面積にかけて光反射パッド３３１による第４光３３５の反射量を一定にするためである。
一方、図２に示すように、即ち、第１光出射面３２０と第２光出射面３３０は相互平行の関係を有する。
図４は本発明の第２実施形態による両方向光出射バックライト組立体の概念図である。図５は本発明の第２実施形態による第１表示領域及び第２表示領域での輝度を示すグラフである。図６は本発明の第３実施形態による両方向光出射バックライト組立体の概念図である。
【００１８】
図４に示すように導光板３００の第１光出射面３２０及び第２光出射面３３０は、図２の実施形態と違って相互平行ではない。より具体的に、第１光出射面３２０と第２光出射面３２２とが成す厚さは光入射面３１０側で最も厚く、第１及び第２光出射面３２０、３２２が光入射側面３１０から遠くなるほど薄くなる。
図５に示すように、一実施形態として第１表示領域１００での第１輝度が第２表示領域２００での第２輝度より高いことが確認できる。このような結果を得るためには、第４光３３５に対する透過率より反射率が高くなるように輝度調節部材４００を調節すべきである。
【００１９】
これとは反対に第２表示領域２００での第２輝度が第１表示領域１００での第１輝度より高い結果を得るためには、第４光３３５に対する反射率より透過率が高くなるように輝度調節部材４００を調節しなければならない。
一方、図６に示されたように、前述した両方向光出射導光板３００の光学特性をより向上させるために、両方向光出射導光板３００のうち第１光出射面３２０の上面には光学シート類３４０がさらに設置され得る。
このように両方向光出射導光板３００の光学特性を向上させる光学シート類３４０は、図６に示されたように、拡散シート３４２とプリズムシート３４４を含む。
【００２０】
より、具体的に拡散シート３４２は、第３光３２５及び輝度調節部材４００からの第４光３５５の一部を散乱させて、より均一な輝度分布を有するようにする。
プリズムシート３４４は、少なくとも一枚が一実施形態として拡散シート３４２の上面に設置されて、拡散シート３４２から出射された光の方向性を補正して視野角を改善する役割を遂行する。具体的にプリズムシート３４４は、プレート形状を有するプリズムシート本体３４４ａと、プリズムシート本体３４４ａのうち第１光出射面３２０と向い合う面に形成されて輝度をより向上させるための輝度向上部３４４ｂとで構成される。輝度向上部３４４ｂは、一実施形態としてプリズムシート本体３５５ａに複数個が連続して形成される。また、輝度向上部３４４ｂは、プリズムシート３５５ａから断面が三角形形状を有するように突出している。
図７は本発明の第４実施形態による両方向光出射バックライト組立体の概念図である。
【００２１】
図７に示すように、両方向光出射バックライト組立体１０００は、第１導光板７００、第２導光板８００、ランプ組立体９４０及び輝度調節部材９００で構成される。
【００２２】
これらのランプ組立体９４０は、更にランプ９５０及びリフレクタ９３０で構成される。
より具体的に、ランプ９５０は点光源である発光ダイオードまたは線光源である冷陰極線管方式ランプが使用され得る。ランプ９５０から発生された光のうち、第１導光板７００に入射される光は説明の便宜上第１光９５２と称し、第２導光板８００に入射される光は説明の便宜上第５光９５６と称する。
リフレクタ９３０は、ランプ９５０から放射状に発生した光が第１光９５２及び第５光９５６の方向を有するように変更する役割をする。これを具現するために、ランプリフレクタ９３０は、一実施形態として厚さが薄く、ランプ９５０と向い合う面の光反射率が高いプレートを折曲して製作する。より具体的に、リフレクタ９３０は、プレートを互いに向い合う２つの側面９３２、９３４及び２つの側面９３２、９３４を連結する連結側面９３６で構成される。このとき、２つの側面９３２、９３４には第１導光板７００及び第２導光板８００が介在されて結合される。
【００２３】
一方、第１導光板７００は直方六面体プレート形状を有し、第１表示領域１００と第２表示領域２００との間に配置される。第１導光板７００は更に、第１光入射側面７１０が含まれた複数個の側面、第１面７２０及び第２面７３０で構成される。
第１及び第２面７２０、７３０はそれぞれ長方形形状を有する面であり、４つの側面によって互いに連結される。
【００２４】
まず、第１導光板７００の第１光入射側面７１０は、ランプ９５０から発生された第１光９５２受け入れる。第１光９５２は第１光入射側面７１０を通過する間に第２光９５３に変更される。
第１面７２０は第２光９５３のうち、屈折の法則に応じて反射条件を満足させる光の一部を第１表示領域１００の方に反射させる役割をする。このとき、第２光９５３のうち屈折の法則に応じて反射条件を満足させない一部の光は、第２表示領域２００の方に漏洩される。
以下、第１表示領域１００の方に反射された第２光９５３を第３光９５４と称し、第２表示領域２００の方に漏洩された第２光９５３を第４光９５５と称する。
【００２５】
第２導光板８００は直方六面体プレート形状を有する。第２導光板８００は、第１表示領域１００と第２表示領域２００との間及び第１導光板７００の第１面７２０に近接したところに第１導光板７００と並列状態に配置される。
このような配置を有する第２導光板８００は、更に第２光入射側面８１０が含まれた複数個の側面、第３面８２０及び第４面８３０で構成される。
４つの側面は第２導光板８００の第３面８２０と第４面８３０とを連結する。第４面８３０は第３面８２０と同一の形状を有する。
第２光入射側面８１０は、ランプ９５０から発生された第５光９５６を受け入れる。第５光９５６は第２光入射側面８１０を通過する間に第６光９５７に変更される。第３面８２０は再び第６光９５７のうち屈折法則に応じて反射条件が満足された光の一部を第２表示領域２００の方に反射させる。一方、第６光９５７のうち、屈折の法則によって反射条件を満足させない残りの光は第２表示領域２００の方に漏洩される。
【００２６】
以下、第２表示領域２００の方に反射された第６光９５７の一部を第７光９５８と称し、第１表示領域１００の方に漏洩された第６光９５７の残りを第８光９５９と称することにする。
このような構成を有する第１導光板７００と第２導光板８００との間には、輝度調節部材として反射板９００が設置される。反射板９００は輝度調節部材としてポリエチレン・テレフタレート（ＰＥＴ）物質を含むシートまたは板形状を有する。
この反射板９００は、第１導光板７００の第１面７２０から漏洩された第４光９５５を第１表示領域１００に再び反射させ、第２導光板８００の第３面８２０から漏洩された第８光９５９を第２表示領域２００に反射させる役割を有する。
【００２７】
このような構成を有する両方向光出射バックライト組立体１０００の作用について図７を参照して説明すると次のようである。
まず、ランプ組立体９４０のランプ９５０から出射された第１光９５２及び第５光９５６はそれぞれ、第１及び第２導光板７００、８００の第１及び第２光入射側面７１０、８１０に到達される。
第１光９５２は第２光９５３に変更される。
このとき、第１面７２０に到達した第２光９５３のうち、屈折法則によって反射条件を満足する第３光９５４は、第１面７２０から反射されて第２面７３０を通過した後第１表示領域１００に向かう。第１面７２０に到達した第２光９５３のうち、屈折の法則によって反射条件が満足できない第４光９５５は、第１面７２０から漏洩されて第２表示領域１００に向かう。
【００２８】
一方、ランプ組立体９４０のランプ９５０から発生された第５光９５６は、第２光入射側面８１０を通過して第６光９５７に変更される。第６光９５７のうち、屈折の法則によって反射条件を満足させる第７光９５８は第３面８２０から反射されて第４面８３０を通過した後第２表示領域２００に向かう。
一方、第３面８２０に到達した第６光９５７のうち、屈折の法則によって反射条件を満足させていない第８光９５９は、第３面８２０から漏洩されて第１表示領域１００に向かう。
このような過程を経て、ランプ９５０から発生した第１光９５２の一部である第３光９５４は第１表示領域１００に向かい、第６光９５７の一部である第７光９５８は第２表示領域２００に供給される。
【００２９】
一方、前述したように、第４光９５５及び第８光９５９は第１導光板７００と第２導光板８００との間に漏洩される。
このとき、第４光９５５及び第８光９５９は前述した反射板９００から反射され、第４光９５５は再び第１表示領域の方に反射され、第８光９５９は再び第２表示領域２００の方に反射される。
バックライト組立体１０００において、第１導光板７００の第１面７２０及び第２面７３０は相互平行な関係を有し、第２導光板８００の第３面８２０及び第４面８３０は相互平行な関係を有する。また、第１導光板７００と第２導光板８００は同一の大きさを有する。
【００３０】
一方、図８に示されたように、第１導光板７００の第１面７２０にドット形状を有する第１光反射パッド７２１がマトリックス状に形成される。第２導光板８００の第３面８２０にもドット形状を有する第２光反射パッド８２１がマトリックス状に形成される。
このとき、第１光反射パッド７２１の大きさは第１光入射側面７１０を基準にして、第１光入射側面７１０から遠くなるほど連続的に増加される。第２光反射パッド８２１の大きさもやはり第２光入射側面８１０を基準にして第２光入射側面８１０から遠くなるほど連続的に増加される。
一方、図７に示されたように、本発明の一実施形態による両方向光出射バックライト組立体１０００は、図９に示されたように第１光学シート類７４０及び第２光学シート類８４０をさらに含むことができる。
より具体的に、第１光学シート類７４０は第１面７２０と向き合い、第１表示領域１００と第１面７２０との間に配置される。
【００３１】
具体的に、第１光学シート類７４０は、プレート形状を有する第１光学シート本体７４２、及び第１光学シート本体７４２のうち第１面７２０と向い合う面に形成されて輝度をより向上させるための輝度向上部７４４で構成される。輝度向上部７４４は一実施形態として第１光学出射シート本体７４２に複数個が連続して形成される。この輝度向上部７４４は第１光学シート本体７４２から断面が三角形形状を有するように突出される。
一方、第２光学シート類８４０は第４面８３０と向き合い、第２表示領域２００と第２面８２０との間に配置される。
具体的に、第２光学シート類８４０はプレート形状を有する第２光学シート本体８４２、及び第２光学シート類８４２のうち第４面８３０と向い合う面に形成されて輝度をより向上させるための輝度向上部８４４で構成される。輝度向上部８４４は一実施形態として第２光が光シート本体８４２に複数個連続して形成される。この輝度向上部８４４は第２光学シート本体８４２から断面が三角形形状を有するように突出される。
前記第１光学シート類７４０は、前記第３光９５４及び前記第８光９５９の一部の視野角、輝度分布などのような光学特性を向上させる。前記第２光学シート類８４０は前記第７光９５８及び前記第４光９５５の一部の視野角、輝度分布などのような光学特性を向上させる。
図１０は本発明の第５実施形態による両方向光出射バックライト組立体の概念図である。図１１は図１０の光反射パターンの距離別大きさを示すグラフである。図１２は図１０の第１光反射パッド及び第２光反射パッドの大きさを比較したグラフである。
【００３２】
両方向光出射バックライト組立体の第１導光板７００及び第２導光板８００の大きさは、図１０に示されたように互いに異なって構成されることができる。本発明においては望ましい一実施形態として、第１導光板７００の面積を第２導光板８００の面積より大きくした。
一方、図１０に示されたように、第１導光板７００の第１面７２０には第１光反射パッド７２５が形成され、及び第２導光板８００の第３面８２０には第２光反射パッド８２５が形成される。
このとき、第１導光板７００の面積が第２導光板８００の面積より大きい場合、第１面７２０に形成された第１光反射パッド７２５のパターン形態と第３面８２０に形成された第２光反射パッド８２５のパターンは互いに異なって形成される。
【００３３】
図１１に示すように、第１光反射パッド７２５及び第２光反射パッド８２５の大きさは、第１光入射側面７１０、第２光入射側面８１０から遠くなるほど大きさが増加される。
しかし、第１光反射パッド７２５及び第２光反射パッド８２５の大きさは同一ではない。
図１２に示すように、第２光入射側面８１０から各第２光反射パッド８２５までの距離に対する第２光反射パッドの大きさの変化率が、第１光入射側面７１０と各第１光反射パッド７２５までの距離に対する第１光反射パッドの大きさの変化率より大きい。図１２のグラフの‘ａ’は第１光反射パッド７２５の大きさの変化を示し、‘ｂ’は第２光反射パッド８２５の大きさの変化を示す。
例えば、第１光反射パッド７２５及び第２光反射パッド８２５のドット大きさを第１、第２光入射側面７１０、８１０からＡ分だけ離れたところで測定したとき、第１光反射パッド７２５の大きさはＢであり、第２光反射パッド８２５の大きさはＢより大きいＣを有する。
図１３は本発明の第６実施形態による両方向光出射バックライト組立体の概念図である。図１４は図１３の両方向光出射バックライト組立体に光学シート類が設置された場合を示す概念図である。
【００３４】
バックライト組立体１０００の第１導光板７００と第２導光板８００はウェッジ（楔）形状を有する。第１導光板７００の第２面７３０を基準にして第１面７２０と第２面７３０とが成す厚さは、第１光入射側面７１０から遠くなるほど連続的に薄くなるウェッジ形状を有する。即ち、第１面７２０は第２面７３０に対して傾斜面となっている。
一方、第２導光板８００の第３面８２０を基準にして第３面８２０と第４面８３０とが成す厚さは、第２光入射側面８１０に近づくほど連続的に薄くなる逆ウェッジ形状を有する。即ち、第３面８２０は第４面８３０に対して傾斜面となり、第１導光板７００の第２面７３０に対しては傾斜面となる。
従って、第１導光板７００の第１面７２０と第２導光板８００の第４面８３０とは相互平行である。
一方、傾斜面である第１導光板７００の第１面７２０には、図１３に示されたようにドット形状を有する第１光反射パッド７２１が形成され、第２導光板８００の傾斜面である第３面８２０にはドット形状を有する第２光反射パッド８２１が形成される。
【００３５】
このとき、第１光反射パッド７２１及び第２光反射パッド８２１は第１、第２光入射側面７１０、８１０から遠くなるほど大きさが増大する。
図１４は図１３に示された両方向光出射バックライト組立体１０００に、第１光学シート類７５０及び第２光学シート類８５０が設置されたことを示す。
より具体的に、第１光学シート類７５０は第１導光板７００の第２面７３０と向き合い、第１表示領域１００と第１導光板７００との間に配置される。
具体的に、第１光学シート類７５０は、プレート形状を有する第１光学シート本体７５２、及び第１光学シート本体７５２のうち第１面７２０と向い合う面に形成されて輝度をより向上させるための輝度向上部７５４で構成される。輝度向上部７５４は一実施形態として、第１光学シート本体７５２に複数個が連続して形成される。この輝度向上部７５４は第１光学シート本体７５２から断面が三角形状を有するように突出される。
【００３６】
第２光学シート類８５０は、第２導光板８００の第４面８３０と向き合い、第２表示領域２００と第２導光板８００の第２面８２０との間に配置される。
具体的に、第２光学シート類８５０は、プレート形状を有する第２光学シート本体８５２、及び第２光学シート本体８５２のうち第４面８３０と向い合う面に形成されて輝度をより向上させるための輝度向上部８５４で構成される。輝度向上部８５４は一実施形態として、第２光学シート本体８５２に複数個が連続して形成される。この輝度向上部８５４は第２光学シート本体８５２から断面が三角形形状を有するように突出される。
第１光学シート類７５０は、第３光９５４及び第８光９５９の一部の視野角及び輝度分布などのような光学特性を向上させる。第２光学シート類８５０は、第７光９５８及び第４光９５５の一部の視野角及び輝度分布のような光学特性を向上させる。
図１５は本発明の第７実施形態によるバックライト組立体の概念図である。図１６は図１５の光反射パターンの大きさを、各光入射側面７１０，８１０からの距離の関数として示すグラフである。図１７は図１５の第１光反射パッド及び第２光反射パッドの大きさの違いを比較したグラフである。
一方、両方向光出射バックライト組立体の第１導光板７００及び第２導光板８００の大きさは、図１５に示されたように互いに異なって構成することができる。本発明において、望ましい一実施形態として、第１導光板７００の面積を第２導光板８００の面積より大きくした。
【００３７】
一方、第１導光板７００の第１面７２０には第１光反射パッド７２１が形成され、及び第２導光板８００の第３面８２０には第２光反射パッド８２２が形成される。
このとき、第１導光板７００の面積が第２導光板８００の面積より大きい場合、第１面７２０に形成された第１光反射パッド７２１のパターン形態と第３面８２０に形成された第２光反射パッド８２２のパターン形態は互いに異なって構成される。
より具体的に、第１光反射パッド７２１及び第２光反射パッド８２２は、図１６に示されたように第１光入射側面７１０、第２光入射側面８１０から距離が遠くなるほど大きさが増加される。
このとき、第１光反射パッド７２１及び第２光反射パッド８２２の大きさは同一ではない。
図１７のグラフに示すように、第２光入射面８１０から各第２光反射パッド８２２までの距離に対する第２光反射パッド８２２の大きさの変化率は、第１光入射面７１０から各第１光反射パッド７２１までの距離に対する第１光反射パッド８２２の大きさの変化率より大きい。図１７の‘ａ’は第１光反射パッド７２１の距離に対する大きさの変化を示し、図１７の‘ｂ’は第１光反射パッド７２１の距離に対する大きさの変化を示す。
【００３８】
例えば、第１光反射パッド７２１及び第２光反射パッド８２２のドット大きさを第１、第２光入射側面７１０、８１０からＡ分だけ離れたところで測定したとき、第１光反射パッド７２１の大きさはＥであり、第２光反射パッド８２２の大きさはＥより大きいＦを有する。
図１８は本発明の第８実施形態によるバックライト組立体の概念図である。
図１８は両方向光出射バックライト組立体１０００に第１光学シート類７６０及び第２光学シート類８６０が設置された場合を示す。
より具体的に、第１光学シート類７６０は第１面７２０と向き合い、第１表示領域１００と第２面７３０との間に配置される。
具体的に、第１光学シート類７６０はプレート形状を有する第１光学シート本体７６２、及び第１光学シート本体７６２のうち、第１面７２０と向い合う面に形成されて輝度をより向上させるための輝度向上部７６４で構成される。輝度向上部７６４は一実施形態として第１光学シート本体７６２に複数個が連続して形成される。この輝度向上部７６４は第１光学シート本体７６２から断面が三角形形状を有するように突出される。
【００３９】
第２光学シート類８６０は第４面８３０と向き合い第２表示領域２００と第２面８２０との間に配置される。
具体的に、第２光学シート類７６０はプレート形状を有する第１光学シート本体７６２、及び第１光学シート本体７６２のうち、第１面７２０と向い合う面に形成されて輝度をより向上させるための輝度向上部７６４で構成される。輝度向上部７６４は一実施形態として第１光学シート本体７６２に複数個が連続して形成される。この輝度向上部７６４は第１光学シート本体７６２から断面が三角形形状を有するように突出される。
【００４０】
図１９は本発明の第９実施形態による液晶表示装置の概念図である。図２０ないし図２３は図１９に示された液晶表示装置に含まれた液晶表示パネル組立体の大きさ及び位置関係を示す概念図である。図１９に示すように、液晶表示装置１３００は第１液晶表示パネル組立体１１００、第２液晶表示パネル組立体１２００及び図１に説明された両方向バックライト組立体５００を有する。
【００４１】
第１液晶表示パネル組立体１１００は第１表示領域１００に配置される。第１液晶表示パネル組立体１１００は、両方向光出射バックライト組立体５００の第１光出射面３２０から出射された第３光３２５及び輝度調節部材４００から反射された第４光３３５の一部を同時に供給を受け、情報が含まれた第１表示光１１１０を発生させる。
一方、第２液晶表示パネル組立体１２００は第２表示領域２００に配置される。第２液晶表示パネル組立体１２００は、両方向光出射バックライト組立体５００の第２光出射面３３０から出射された第４光３３５のうち、輝度調節部材４００を通過した光の供給を受けて、情報が含まれた第２表示光１２１０を発生させる。
第１液晶表示パネル組立体１１００の第１表示面積と第２液晶表示パネル組立体１２００の第２表示面積は同一に設定することができる。
【００４２】
反面、これとは違って図２０に示されたように、第１液晶表示パネル組立体１１００の第１表示面積及び第２液晶表示パネル組立体１２５０の第２表示面積を互いに異なって構成し得る。
図２０に示すように、第１液晶表示パネル組立体１１００の第１表示面積を第２液晶表示パネル組立体１２５０の第２表示面積より大きく設定した。
このように第２液晶表示パネル組立体１２５０の第２表示面積が第１液晶表示パネル組立体１１００の第１表示面積より小さい場合、第２液晶表示パネル組立体１２５０のうち、剰余空間には後述される駆動モジュールが配置されるようにすることによって、体積をより減少させることができる。
【００４３】
また、図４に示されたように導光板３００の第２光出射面３３２を傾くように形成する場合、第２液晶表示パネル組立体１２５０を第２光出射面３３２と同一の傾斜角度で設置することで、液晶表示装置の全体の厚さをより薄くすることができる。
一方、第１液晶表示パネル組立体１１００の面積が第２液晶表示パネル組立体１２５０の面積より大きい場合、第２液晶表示パネル組立体１２５０の位置によって、第２液晶表示パネル組立体１２５０の光学特性は大きく影響を受ける。
添付された図２１に示されたように、図面符号１２５２は第２液晶表示パネル組立体１２５０の第１端部であり、図面符号１２５４は第１端部と対向する第２端部である。
【００４４】
望ましい一実施形態として、第２液晶表示パネル組立体１２５０の第１端部１２５２は、前述した導光板３００の光入射側面３１０と整列される。このように第２液晶表示装置組立体１２５０の第１端部１２５２を光入射側面３１０と整列させる場合、他の位置よりもより多くの光を取得することができるという長所を有する。
また、図２２に示すように、液晶表示パネル組立体１２５０は、導光板３００の第２光出射面３３０を基準にして第２光出射面３３０の中央部分に位置させることができる。
【００４５】
さらに、図２３に示すように、第２液晶表示パネル組立体１２５０の第２端部１２５４は、輝度調節部材４００の端部である図面符号４１０と整列させることもよいのである。
図２４または図２５は、図１９に示された液晶表示装置に含まれた液晶表示パネル組立体の駆動方式を示す概念図である。
第１液晶表示パネル組立体１１００及び第２液晶表示パネル組立体１２００のうち、少なくとも一つは図２４に示されたように、薄膜トランジスタを使用せず横縦に交差する２つの第１電極１３１０と第２電極１３２０との間に液晶を注入した後、駆動シグナル印加部１３００によって液晶を制御するための電界を形成するパッシブ・マトリックス方式で駆動されることができる。
【００４６】
このとき、第１液晶表示パネル組立体１１００及び第２液晶表示パネル組立体１２００は、全部同一の駆動シグナル印加部１３００によって駆動されることによって第１、第２液晶表示パネル組立体１１００、１２００は全部同一の映像を表示する。
これとは反対に第１液晶表示パネル組立体１１００は第１駆動シグナルを発生させる第１駆動モジュールを含み、第２液晶表示パネル組立体１２００は第２駆動シグナルを発生させる第２駆動モジュールを含む。即ち、このような方式は第１液晶表示パネル組立体１１００は第１映像を表示し、第２液晶表示パネル組立体１２００は第１映像と違う第２映像が表示されることができるようにする。
図１９に示された第１及び第２液晶表示パネル組立体１１００、１２００のうち、少なくとも一つは図２５に示されたように薄膜トランジスタ１４００及び薄膜トランジスタ１４００から電圧が印加される画素電極１４５０を有し、これらを制御する駆動シグナル印加部１４７０によって液晶を制御するための電界を形成するアクティブマトリックス方式で駆動され得る。
【００４７】
このとき、第１液晶表示パネル組立体１１００及び第２液晶表示パネル組立体１２００は、全部同一の駆動シグナル印加部１４７０によって駆動されることで、第１液晶表示パネル組立体１１００、第２液晶表示パネル組立体１２００は全部同一の映像を表示する。
これとは反対に第１液晶表示パネル組立体１１００は、第１駆動シグナルを発生させる第１駆動モジュールを含み、第２液晶表示パネル組立体１２００は第２駆動シグナルを発生させる第２駆動モジュールを含む。即ち、このような方式は、第１液晶表示パネル組立体１１００は第１映像を表示し、第２液晶表示パネル組立体１２００は第１映像と違う第２映像が表示されることができるようにする。
図２６は本発明の第２実施形態による液晶表示装置の概念図である。図２７は本発明の第２実施形態による液晶表示装置の液晶表示パネルの大きさ及び位置関係を示す概念図である。
図２６に示すように、液晶表示装置１７００は、第１液晶表示パネル組立体１５００、第２液晶表示パネル組立体１６００及び前記図７において説明された両方向バックライト組立体１０００を有する。
【００４８】
第１液晶表示パネル組立体１５００は第１領域に配置される。第１液晶表示パネル組立体１５００は、両方向光出射バックライト組立体１０００の第２面７３０から出射された第３光９５４及び反射板９００から反射された第４光９５５を同時に供給を受け、情報が含まれた第１表示光１５１０を発生させる。
一方、第２液晶表示パネル組立体１６００は第２領域２００に配置される。第２液晶表示パネル組立体１６００は、両方向光出射バックライト組立体１０００の第３面８３０から出射された第７光９５８及び反射板９００から反射された第８光９５９の一部の供給を受けて、情報が含まれた第２表示光１６１０を発生させる。
第１液晶表示パネル組立体１５００の第１表示面積及び第２液晶表示パネル組立体１６００の第２表示面積は相互同一に設定され得る。
【００４９】
反面、これとは違って、図２７に示されたように第１液晶表示パネル組立体１５００の第１表示面積及び第２液晶表示パネル組立体１６００の第２表示面積は相互異なることも在り得る。
図２７に示すように、第１液晶表示パネル組立体１５００の第１表示面積を、第２液晶表示パネル組立体１６００の第２表示面積より大きくする。
このように第１液晶表示パネル組立体１５００の面積が第２液晶表示パネル組立体１６００の面積より大きい場合、第２液晶表示パネル組立体１６００の位置によって第２液晶表示パネル組立体１６００の光学特性は大きく影響を受ける。
添付された図２７に示された図面符号１６２０は、第１液晶表示パネル組立体１６００の第１端部であり、図面符号１６４０は第１端部と対向する第２端部である。
望ましい一実施形態として第２液晶表示パネル組立体１６００の第１端部１６２０は前述した第２導光板８００の光入射側面８１０に整列される。このように第２液晶表示パネル組立体１６００の第１端部１６２０を光入射側面８１０に整列させる場合、他の位置より多くの光を取得することができるという長所を有する。また、第２液晶表示パネル組立体１６００は、図２７に示された第２光出射面８３０を基準にして中央部に配置されることができる。
第２液晶表示パネル組立体１６００の第２端部１６４０を、前記説明した反射板９００の端部である図面符号９１０に整列させることもよいのである。
【００５０】
一方、図２６に示されたように、第１液晶表示パネル組立体１５００及び第２液晶表示パネル組立体１６００のうち、少なくとも一つは薄膜トランジスタを使用せず、横縦に交差する２つの第１電極１３１０と第２電極１３２０との間に液晶を注入した後、駆動シグナル印加部１３００によって液晶を制御するための電界を形成するパッシブマトリックス方式で駆動され得る。
【００５１】
このとき、第１液晶表示パネル組立体１５００及び第２液晶表示パネル組立体１６００は、全部同一の駆動シグナル印加部１３００によって駆動されることで第１、第２液晶表示パネル組立体１１００、１２００は全部同一の映像を表示する。
これとは反対に、第１液晶表示パネル組立体１５００は第１駆動シグナルを発生させる第２駆動モジュールを含み、第２液晶表示パネル組立体１６００は第２駆動シグナルを発生させる第２駆動モジュールを含むことができる。即ち、このような方式では第１液晶表示パネル組立体１５００は第１映像を表示し、第２液晶表示パネル組立体１６００は第１映像と違う第２映像が表示されることができるようにする。
反面、図２６に示された第１液晶表示パネル組立体１５００及び第２液晶表示パネル組立体１６００のうち少なくとも一つは薄膜トランジスタ１４００及び薄膜トランジスタ１４００から電圧が印加される画素電極１４５０を有し、これを制御する駆動シグナル印加部１４７０によって液晶を制御するための電界を形成するアクティブマトリックス方式に駆動され得る。
【００５２】
このとき、第１液晶表示パネル組立体１５００及び第２液晶表示パネル組立体１６００は、全部同一の駆動シグナル印加部１４７０によって駆動されることで第１、第２液晶表示パネル組立体１５００、１６００は全部同一の映像を表示する。
これとは反対に、第１液晶表示パネル組立体１５００は第１駆動シグナルを発生させる第１駆動モジュールを含み、第２液晶表示パネル組立体１６００は第２駆動シグナルを発生させる第２駆動モジュールを含むことができる。即ち、このような方式では、第１液晶表示パネル組立体１５００は第１映像を表示し、第２液晶表示パネル組立体１６００は第１映像と違う第２映像が表示されることができるようにする。
以上、詳細に説明したように、２つの方向に互いに同一の映像を表示し、または互いに異なる映像を互いに異なる輝度で表示することができるようにすることで、消費者の多様な要求を満たせるより良質の液晶表示装置を具現することができる。
以上、本発明の実施形態によって詳細に説明したが、本発明はこれに限定されず、本発明が属する技術分野において通常の知識を有する者であれば、本発明の思想と精神を逸脱することなく、本発明を修正または変更できる。
【図面の簡単な説明】
【００５３】
【図１】本発明の第１実施形態による両方向光出射バックライト組立体の概念図である。
【図２】本発明の第１実施形態による両方向光出射バックライト組立体の導光板に形成された光反射パターンを示す概念図である。
【図３】図２の光反射パターンの大きさ及び配列を示す概念図でる。
【図４】本発明の第２実施形態による両方向光出射バックライト組立体の概念図である。
【図５】本発明の第２実施形態による第１表示領域及び第２表示領域においての輝度を示すグラフである。
【図６】本発明の第３実施形態による両方向光出射バックライト組立体の概念図である。
【図７】本発明の第４実施形態による両方向光出射バックライト組立体の概念図である。
【図８】図７の導光板に形成された光反射パターンを示す概念図である。
【図９】図８の両方向光出射バックライト組立体に設置された光学シートを示す概念図である。
【図１０】本発明の第５実施形態による両方向光出射バックライト組立体の概念図である。
【図１１】図１０の光反射パターンの距離別大きさを示すグラフである。
【図１２】図１０の第１光反射パッド及び第２光反射パッドの距離別大きさを比較したグラフである。
【図１３】本発明の第６実施形態による両方向光出射バックライト組立体の概念図である。
【図１４】図１３の両方向光出射バックライト組立体に光学シート類が設置されたことを示す概念図である。
【図１５】本発明の第７実施形態による両方向光出射バックライト組立体の概念図である。
【図１６】図１５の光反射パターンの距離別大きさを示すグラフである。
【図１７】図１５の第１光反射パッド及び第２光反射パッドの距離別大きさを比較したグラフである。
【図１８】本発明の第８実施形態による両方向光出射バックライト組立体の概念図である。
【図１９】本発明の第１実施形態による液晶表示装置の概念図である。
【図２０】図１９に示された液晶表示装置に含まれた第１液晶表示パネル組立体及び第２液晶表示パネル組立体の大きさ及び位置関係を示す概念図である。
【図２１】図１９に示された液晶表示装置に含まれた第１液晶表示パネル組立体及び第２液晶表示パネル組立体の大きさ及び位置関係を示す概念図である。
【図２２】図１９に示された液晶表示装置に含まれた第１液晶表示パネル組立体及び第２液晶表示パネル組立体の大きさ及び位置関係を示す概念図である。
【図２３】図１９に示された液晶表示装置に含まれた第１液晶表示パネル組立体及び第２液晶表示パネル組立体の大きさ及び位置関係を示す概念図である。
【図２４】図１９に示された液晶表示装置に含まれた第１及び第２液晶表示パネル組立体の駆動方式を示す概念図である。
【図２５】図１９に示された液晶表示装置に含まれた第１及び第２液晶表示パネル組立体の駆動方式を示す概念図である。
【図２６】本発明の第２実施形態による液晶表示装置の概念図である。
【図２７】本発明の第２実施形態による液晶表示装置の第１液晶表示パネル組立体及び第２液晶表示パネル組立体の大きさ及び位置関係を示す概念図である。
【符号の説明】
【００５４】
１００      第１表示領域
２００      第２表示領域
３００      導光板
３０５、９５２      第１光
３１５      第２光
３２５、９５４      第３光
３２０      第１光出射面
３３０      第２光出射面
３３１      光反射パッド
３３５      第４光
３４２      拡散シート
３４４      プリズムシート
４００、９００      輝度調節部材
５００、１０００      両方向光出射バックライト組立体
７００      第１導光板
８００      第２導光板
９３０      リフレクタ
９４０      ランプ組立体
９５０      光源
９５５      第４光
９５６      第５光
９５７      第６光
９５８      第７光
９５９      第８光
１１００、１５００      第１液晶表示パネル組立体
１１１０      第１表示光
１２００、１６００      第２液晶表示パネル組立体
１２１０      第２表示光
１４７０      駆動シグナル印加部
【図１】
2005523562.tif 000003
【図２】
2005523562.tif 000004
【図３】
2005523562.tif 000005
【図４】
2005523562.tif 000006
【図５】
2005523562.tif 000007
【図６】
2005523562.tif 000008
【図７】
2005523562.tif 000009
【図８】
2005523562.tif 000010
【図９】
2005523562.tif 000011
【図１０】
2005523562.tif 000012
【図１１】
2005523562.tif 000013
【図１２】
2005523562.tif 000014
【図１３】
2005523562.tif 000015
【図１４】
2005523562.tif 000016
【図１５】
2005523562.tif 000017
【図１６】
2005523562.tif 000018
【図１７】
2005523562.tif 000019
【図１８】
2005523562.tif 000020
【図１９】
2005523562.tif 000021
【図２０】
2005523562.tif 000022
【図２１】
2005523562.tif 000023
【図２２】
2005523562.tif 000024
【図２３】
2005523562.tif 000025
【図２４】
2005523562.tif 000026
【図２５】
2005523562.tif 000027
【図２６】
2005523562.tif 000028
【図２７】
2005523562.tif 000029
【国際調査報告】
2005523562.tif 000030
2005523562.tif 000031